(57)【要約】【課題】エラーコードによりＯＮＵがＯＬＴ指示を確定できない問題を解決する。【解決手段】本発明は、前方誤り訂正（ＦＥＣ）機能の有効／無効化指示方法及びシステムを開示する。ＦＥＣステータス指示識別子を予め設定する。ＯＬＴがＯＮＵのＦＥＣステータス指示識別子と、ＯＮＵのＩＤとを対応づけて送信する。ＯＮＵが受信した自ＩＤに対応する指示識別子に応じて、自ＯＮＵのＦＥＣ機能を有効又は無効にする。【選択図】図２
2013501435.tif 000002
【特許請求の範囲】
【請求項１】
前方誤り訂正（ＦＥＣ：Ｆｏｒｗａｒｄ  Ｅｒｒｏｒ  ｃｏｒｒｅｃｔｉｏｎ）ステータス指示識別子を設定し、
事業者側光回線終端装置（ＯＬＴ：Ｏｐｔｉｃａｌ  Ｌｉｎｅ  Ｔｅｒｍｉｎａｌ）により、加入者側光回線終端装置（ＯＮＵ：Ｏｐｔｉｃａｌ  Ｎｅｔｗｏｒｋ  Ｕｎｉｔ）のＦＥＣステータス指示識別子と、前記ＯＮＵのＩＤとを対応づけて送信し、
前記ＯＮＵにより、受信した自ＩＤに対応する前記指示識別子に応じて、当該ＯＮＵのＦＥＣ機能を有効又は無効にする
前方誤り訂正機能の有効／無効化指示方法。
【請求項２】
請求項１に記載の前方誤り訂正機能の有効／無効化指示方法であって、
前記ＯＬＴにより、前記ＯＮＵのＦＥＣステータス指示識別子と、前記ＯＮＵのＩＤとを対応づけて送信するステップは、
ダウンリンクフレームの複数のアロケーション構造から、前記ＯＮＵのＩＤと一致するＩＤ（Ａｌｌｏｃ−ＩＤ）により識別されるアロケーション構造を検索し、
前記検索されたアロケーション構造のフラグフィールドの９番目のビットの値として、当該アロケーション構造のＡｌｌｏｃ−ＩＤと一致するＩＤにより識別されるＯＮＵのＦＥＣステータス指示識別子を設定し、前記ダウンリンクフレームを送信する
前方誤り訂正機能の有効／無効化指示方法。
【請求項３】
請求項１に記載の前方誤り訂正機能の有効／無効化指示方法であって、
前記ＯＬＴにより、前記ＯＮＵのＦＥＣステータス指示識別子と、前記ＯＮＵのＩＤとを対応づけて送信するステップは、
ＦＥＣ指示メッセージとして、物理層オペレーション管理及び保守（ＰＬＯＡＭ：Ｐｈｙｓｉｃａｌ  Ｌａｙｅｒ  Ｏｐｅｒａｔｉｏｎｓ  ＡＮＤ  Ｍａｉｎｔｅｎａｎｃｅ）メッセージを設定し、
前記ＦＥＣ指示メッセージにＦＥＣ指示メッセージ識別子を追加し、
前記ＦＥＣ指示メッセージに、前記ＯＮＵのＦＥＣステータス指示識別子と、前記ＯＮＵのＩＤとを対応づけて追加し、
前記ＯＬＴにより、前記ＦＥＣ指示メッセージをダウンリンクフレームのＰＬＯＡＭフィールドに追加し、前記ダウンリンクフレームを送信する、又は
ＰＬＯＡＭメッセージのアイドルビットに、前記ＯＮＵのＦＥＣステータス指示識別子と、前記ＯＮＵのＩＤとを対応づけて追加し、当該ＰＬＯＡＭメッセージをダウンリンクフレームのＰＬＯＡＭフィールドに追加し、前記ダウンリンクフレームを送信する
前方誤り訂正機能の有効／無効化指示方法。
【請求項４】
請求項１に記載の前方誤り訂正機能の有効／無効化指示方法であって、
前記ＯＬＴにより、前記ＯＮＵのＦＥＣステータス指示識別子と、前記ＯＮＵのＩＤとを対応づけて送信するステップは、
ＯＮＴ管理及び制御インターフェース（ＯＭＣＩ：ＯＮＴ  Ｍａｎａｇｅｍｅｎｔ  ａｎｄ  Ｃｏｎｔｒｏｌ  Ｉｎｔｅｒｆａｃｅ）メッセージに、ＯＮＵのＦＥＣステータス属性を追加し、
前記ＯＭＣＩメッセージに、前記ＯＮＵの前記ＦＥＣステータス属性の値として、前記ＯＮＵの前記ＦＥＣステータス指示識別子を設定し、
前記ＯＭＣＩメッセージを、ダウンリンクフレームのＯＭＣＩフィールドに追加し、
前記ダウンリンクフレームを送信する
前方誤り訂正機能の有効／無効化指示方法。
【請求項５】
請求項１に記載の前方誤り訂正機能の有効／無効化指示方法であって、
前記ＯＬＴにより、前記ＯＮＵのＦＥＣステータス指示識別子と、前記ＯＮＵのＩＤとを対応づけて送信するステップは、
ダウンストリーム物理制御ブロック（ＰＣＢｄ：Ｐｈｙｓｉｃａｌ  Ｃｏｎｔｒｏｌ  Ｂｌｏｃｋ  ｄｏｗｎｓｔｒｅａｍ）に、ＦＥＣ指示フィールドを追加し、
前記ＯＮＵのＩＤを、前記ＦＥＣ指示フィールドのビットのシーケンス番号に対応させ、
前記ＯＬＴにより、前記ＯＮＵのＦＥＣステータス指示識別子を、前記ＦＥＣ指示フィールドの、当該ＯＮＵのＩＤと一致するシーケンス番号のビットに追加し、ブロードキャストする
前方誤り訂正機能の有効／無効化指示方法。
【請求項６】
請求項１〜５のいずれか１項に記載の前方誤り訂正機能の有効／無効化指示方法であって、さらに、
前記ＯＮＵにより、前記ＯＬＴによって送信されたＦＥＣ指示の実行ステータスを、前記ＯＬＴに応答し、当該ステップは、
前記ＯＮＵにより、前記ＦＥＣ機能を有効又は無効にした後、最初に送信するアップリンクフレームにて、前記ＯＮＵの現在のＦＥＣステータス指示識別子を搬送する、又は
前記ＯＮＵにより、アップリンクフレームのフレームヘッダにＦＥＣステータス報告ビットを定義し、前記アップリンクフレームを送信する場合に、前記アップリンクフレームの前記ＦＥＣステータス報告ビットの値として、前記ＯＮＵの現在のＦＥＣステータス指示識別子を設定する
前方誤り訂正機能の有効／無効化指示方法。
【請求項７】
ＦＥＣステータス指示識別子を設定し、ＯＮＵのＦＥＣステータス指示識別子と、前記ＯＮＵのＩＤとを対応づけて送信するＯＬＴと、
受信した自ＩＤに対応する指示識別子に応じて、当該ＯＮＵのＦＥＣ機能を有効又は無効にするＯＮＵと
を含む前方誤り訂正機能の有効／無効化指示システム。
【請求項８】
請求項７に記載の前方誤り訂正機能の有効／無効化指示システムであって、
前記ＯＬＴは、
前記ＦＥＣステータス指示識別子を設定する識別子設定モジュールと、
前記ＯＮＵのＦＥＣステータスを決定するステータス決定モジュールと、
前記ＯＮＵの前記ＦＥＣステータス指示識別子と、前記ＯＮＵのＩＤとを対応づけて送信する送信モジュールとを含む
前方誤り訂正機能の有効／無効化指示システム。
【請求項９】
請求項８に記載の前方誤り訂正機能の有効／無効化指示システムであって、
前記送信モジュールは、
ダウンリンクフレームの複数のアロケーション構造から、前記ＯＮＵのＩＤと一致するＩＤ（Ａｌｌｏｃ−ＩＤ）により識別されるアロケーション構造を検索する検索モジュールと、
前記検索されたアロケーション構造のフラグフィールドの９番目のビットの値として、当該アロケーション構造のＡｌｌｏｃ−ＩＤと一致するＩＤにより識別されるＯＮＵのＦＥＣステータス指示識別子を設定し、前記ダウンリンクフレームを送信する第１の設定モジュールとを含む
前方誤り訂正機能の有効／無効化指示システム。
【請求項１０】
請求項８に記載の前方誤り訂正機能の有効／無効化指示システムであって、
前記送信モジュールは、
ＦＥＣ指示メッセージとしてＰＬＯＡＭメッセージを設定し、前記ＦＥＣ指示メッセージにＦＥＣ指示メッセージ識別子を追加し、前記ＦＥＣ指示メッセージに、前記ＯＮＵのＦＥＣステータス指示識別子と、前記ＯＮＵのＩＤとを対応づけて追加し、当該ＦＥＣ指示メッセージを第１の送信モジュールに送信する第１の追加モジュールと、
第１の追加モジュールによって送信された前記ＦＥＣ指示メッセージを、ダウンリンクフレームのＰＬＯＡＭフィールドに追加し、前記ダウンリンクフレームを送信する第１の送信モジュールとを含む
前方誤り訂正機能の有効／無効化指示システム。
【請求項１１】
請求項８に記載の前方誤り訂正機能の有効／無効化指示システムであって、
前記送信モジュールは、
ＰＬＯＡＭメッセージのアイドルビットに、前記ＯＮＵの前記ＦＥＣステータス指示識別子と、前記ＯＮＵのＩＤとを対応づけて追加し、前記ＰＬＯＡＭメッセージを第２の送信モジュールに送信する第２の追加モジュールと、
前記第２の追加モジュールによって送信された前記ＰＬＯＡＭメッセージを、ダウンリンクフレームのＰＬＯＡＭフィールドに追加し、前記ダウンリンクフレームを送信する第２の送信モジュールとを含む
前方誤り訂正機能の有効／無効化指示システム。
【請求項１２】
請求項８に記載の前方誤り訂正機能の有効／無効化指示システムであって、
前記送信モジュールは、
ＯＭＣＩメッセージに、前記ＯＮＵのＦＥＣステータス属性を追加する属性設定モジュールと、
前記ＯＭＣＩメッセージに、前記ＯＮＵの前記ＦＥＣステータス属性の値として、前記ＯＮＵの前記ＦＥＣステータス指示識別子を設定し、前記ＯＭＣＩメッセージを、ダウンリンクフレームのＯＭＣＩフィールドに追加し、前記ダウンリンクフレームを送信する第２の設定モジュールとを含む
前方誤り訂正機能の有効／無効化指示システム。
【請求項１３】
請求項８に記載の前方誤り訂正機能の有効／無効化指示システムであって、
前記送信モジュールは、
ＰＣＢｄにＦＥＣ指示フィールドを追加し、前記ＯＮＵのＩＤを、前記ＦＥＣ指示フィールドのビットのシーケンス番号に対応させるフィールド設定モジュールと、
前記ＯＮＵのＦＥＣステータス指示識別子を、前記ＦＥＣ指示フィールドの当該ＯＮＵのＩＤと一致するシーケンス番号のビットに追加し、ブロードキャストする第３の追加モジュールとを含む
前方誤り訂正機能の有効／無効化指示システム。
【請求項１４】
請求項７〜１３のいずれか１項に記載の前方誤り訂正機能の有効／無効化指示システムであって、
前記ＯＮＵは、
受信した、自ＯＮＵのＩＤに対応する指示識別子に応じて、当該ＯＮＵのＦＥＣ機能を有効又は無効にする有効／無効化モジュールと、
前記ＦＥＣ機能を有効又は無効にした後、最初に送信するアップリンクフレームにて、前記ＯＮＵの現在のＦＥＣステータス指示識別子を搬送し、又はアップリンクフレームのフレームヘッダにＦＥＣステータス報告ビットを定義し、前記アップリンクフレームを送信する場合に、前記アップリンクフレームの前記ＦＥＣステータス報告ビットの値として、前記ＯＮＵの現在のＦＥＣステータス指示識別子を設定する応答モジュールとを含む
前方誤り訂正機能の有効／無効化指示システム。
【発明の詳細な説明】
【技術分野】
【０００１】
本発明は、パッシブ光ネットワーク（ＰＯＮ：Ｐａｓｓｉｖｅ  Ｏｐｔｉｃａｌ  Ｎｅｔｗｏｒｋ）技術に関し、特に、前方誤り訂正（ＦＥＣ：Ｆｏｒｗａｒｄ  Ｅｒｒｏｒ  ｃｏｒｒｅｃｔｉｏｎ）機能の有効／無効化指示方法及びシステムに関する。
【背景技術】
【０００２】
ＰＯＮ技術は、ポイント・ツー・マルチポイントの光ファイバーアクセス技術である。図１に示すように、ＰＯＮのネットワーク構造は、事業者側光回線終端装置（ＯＬＴ：Ｏｐｔｉｃａｌ  Ｌｉｎｅ  Ｔｅｒｍｉｎａｌ）と、光分配ネットワーク（ＯＤＮ：Ｏｐｔｉｃａｌ  Ｄｉｓｔｒｉｂｕｔｉｏｎ  Ｎｅｔｗｏｒｋ）と、複数の加入者側光回線終端装置（ＯＮＵ：Ｏｐｔｉｃａｌ  Ｎｅｔｗｏｒｋ  Ｕｎｉｔ）／光ネットワーク端末（ＯＮＴ：Ｏｐｔｉｃａｌ  Ｎｅｔｗｏｒｋ  Ｔｅｒｍｉｎａｌ）とを含む。ここで、１つのＯＬＴがＯＤＮを介して複数のＯＮＵに接続される。
【０００３】
ＰＯＮの有線伝送において、ビットエラー率が高すぎると、サービスが正常に行われなくなるおそれがある。例えば、アップリンク伝送において、ビットエラー率が１０−３レベルより高い場合、サービスを正常に行うことができない。このため、伝送において発生し得るエラーを防止し、ビットエラー率を低減するために、ＰＯＮにおいてＦＥＣ技術が利用される。これにより、一般的には、ビットエラー率が１０−１０〜１０−１２のレベルに制御される。ＰＯＮにおいては、ＯＬＴが、ＯＮＵに、自ＯＮＵのＦＥＣ機能を有効又は無効にすることを指示するために、ＦＥＣ技術が用いられる。その具体的な指示方法は以下のとおりである。すなわち、ＯＬＴがＯＮＵのＦＥＣステータス（有効又は無効）を決定した後、ダウンリンクフレームのアロケーション構造（Ａｌｌｏｃａｔｉｏｎ  Ｓｔｒｕｃｔｕｒｅ）のフラグフィールドの９番目のビットの値を１又は０に設定する。これにより、ＯＮＵに、アップリンク伝送中にＦＥＣ機能を有効又は無効にすることが指示される。ビットの値が１に設定されると、ＦＥＣ機能を有効にすることが指示される。ビットの値が０に設定されると、ＦＥＣ機能を無効にすることが指示される。
【０００４】
ＰＯＮにおいて、１つのＯＮＵは、複数の伝送コンテナ（Ｔ−ＣＯＮＴ：Ｔｒａｎｓｍｉｓｓｉｏｎ  Ｃｏｎｔａｉｎｅｒ）を用いることができる。１つのアロケーション構造は、ＯＮＵにおける１つのＴ−ＣＯＮＴに対応する。これによって、上記方法において、ＯＬＴがＯＮＵにＦＥＣ機能を有効又は無効にすることを指示するには、１つのダウンリンクフレームにおいて、ＯＮＵによって使用される複数のＴ−ＣＯＮＴそれぞれに対応するアロケーション構造のフラグフィールドの９番目のビットの値をいずれも１又は０に設定しさえすればよい。即ち、ＯＬＴは、１つのダウンリンクフレームにおいて、ＯＮＵによって使用される各Ｔ−ＣＯＮＴに対して、一律に指示を行う。これにより、全てのＯＮＵのＦＥＣ機能が完全に有効又は無効になる。しかしながら、ＯＬＴ又は回線に生じた原因により、ダウンリンクフレームのフラグフィールドの９番目のビットの値が、エラーコードとなったとする。この場合、ＯＮＵは、当該ダウンリンクフレームを受信した後、当該ダウンリンクフレームにおいて、ＯＮＵによって使用される各Ｔ−ＣＯＮＴに対応する指示が完全に一致していないことを検出する可能性がある。その結果、ＯＮＵは、ＯＬＴがアップリンク伝送において、当該ＯＮＵにＦＥＣ機能を有効にするよう指示したのか又は無効にするよう指示したのかを判断することができない。更に、当該ＯＮＵがＦＥＣ機能を有効又は無効にする動作を実行しても、この有効又は無効の動作がＯＬＴの指示と一致しないこととなってしまう。その結果、アップリンク伝送が影響をうけてしまう。特に、ＯＬＴがＯＮＵにＦＥＣ機能を有効にすることを指示したにも拘わらず、ＯＮＵがＦＥＣ機能を無効にしたとする。この場合、ビットエラー率が極めて高くなり、サービスが正常に行われなくなってしまう。
【発明の概要】
【発明が解決しようとする課題】
【０００５】
以上に鑑み、本発明の主な目的は、エラーコードに起因してＯＮＵがＯＬＴの指示を判断できないという問題を解決するために、前方誤り訂正機能の有効／無効化指示方法及びシステムを提供することにある。
【課題を解決するための手段】
【０００６】
上記目的を達成するために、本発明の技術的なスキームは、以下のように実現される。
本発明によれば、前方誤り訂正（ＦＥＣ：Ｆｏｒｗａｒｄ  Ｅｒｒｏｒ  ｃｏｒｒｅｃｔｉｏｎ）ステータス指示識別子を設定し、
事業者側光回線終端装置（ＯＬＴ：Ｏｐｔｉｃａｌ  Ｌｉｎｅ  Ｔｅｒｍｉｎａｌ）により、加入者側光回線終端装置（ＯＮＵ：Ｏｐｔｉｃａｌ  Ｎｅｔｗｏｒｋ  Ｕｎｉｔ）のＦＥＣステータス指示識別子と、前記ＯＮＵのＩＤとを対応づけて送信し、
前記ＯＮＵにより、受信した自ＩＤに対応する前記指示識別子に応じて、当該ＯＮＵのＦＥＣ機能を有効又は無効にする
前方誤り訂正機能の有効／無効化指示方法が提供される。
【０００７】
更に、  前記ＯＬＴにより、前記ＯＮＵのＦＥＣステータス指示識別子と、前記ＯＮＵのＩＤとを対応づけて送信するステップは、
ダウンリンクフレームの複数のアロケーション構造から、前記ＯＮＵのＩＤと一致するＩＤ（Ａｌｌｏｃ−ＩＤ）により識別されるアロケーション構造を検索し、
前記検索されたアロケーション構造のフラグフィールドの９番目のビットの値として、当該アロケーション構造のＡｌｌｏｃ−ＩＤと一致するＩＤにより識別されるＯＮＵのＦＥＣステータス指示識別子を設定し、前記ダウンリンクフレームを送信してもよい。
【０００８】
更に、  前記ＯＬＴにより、前記ＯＮＵのＦＥＣステータス指示識別子と、前記ＯＮＵのＩＤとを対応づけて送信するステップは、
ＦＥＣ指示メッセージとして、物理層オペレーション管理及び保守（ＰＬＯＡＭ：Ｐｈｙｓｉｃａｌ  Ｌａｙｅｒ  Ｏｐｅｒａｔｉｏｎｓ  ＡＮＤ  Ｍａｉｎｔｅｎａｎｃｅ）メッセージを設定し、
前記ＦＥＣ指示メッセージにＦＥＣ指示メッセージ識別子を追加し、
前記ＦＥＣ指示メッセージに、前記ＯＮＵのＦＥＣステータス指示識別子と、前記ＯＮＵのＩＤとを対応づけて追加し、
前記ＯＬＴにより、前記ＦＥＣ指示メッセージをダウンリンクフレームのＰＬＯＡＭフィールドに追加し、前記ダウンリンクフレームを送信する、又は
ＰＬＯＡＭメッセージのアイドルビットに、前記ＯＮＵのＦＥＣステータス指示識別子と、前記ＯＮＵのＩＤとを対応づけて追加し、当該ＰＬＯＡＭメッセージをダウンリンクフレームのＰＬＯＡＭフィールドに追加し、前記ダウンリンクフレームを送信してもよい。
【０００９】
更に、前記ＯＬＴにより、前記ＯＮＵのＦＥＣステータス指示識別子と、前記ＯＮＵのＩＤとを対応づけて送信するステップは、
ＯＮＴ管理及び制御インターフェース（ＯＭＣＩ：ＯＮＴ  Ｍａｎａｇｅｍｅｎｔ  ａｎｄ  Ｃｏｎｔｒｏｌ  Ｉｎｔｅｒｆａｃｅ）メッセージに、ＯＮＵのＦＥＣステータス属性を追加し、
前記ＯＭＣＩメッセージに、前記ＯＮＵの前記ＦＥＣステータス属性の値として、前記ＯＮＵの前記ＦＥＣステータス指示識別子を設定し、
前記ＯＭＣＩメッセージを、ダウンリンクフレームのＯＭＣＩフィールドに追加し、
前記ダウンリンクフレームを送信してもよい。
【００１０】
更に、前記ＯＬＴにより、前記ＯＮＵのＦＥＣステータス指示識別子と、前記ＯＮＵのＩＤとを対応づけて送信するステップは、
ダウンストリーム物理制御ブロック（ＰＣＢｄ：Ｐｈｙｓｉｃａｌ  Ｃｏｎｔｒｏｌ  Ｂｌｏｃｋ  ｄｏｗｎｓｔｒｅａｍ）に、ＦＥＣ指示フィールドを追加し、
前記ＯＮＵのＩＤを、前記ＦＥＣ指示フィールドのビットのシーケンス番号に対応させ、
前記ＯＬＴにより、前記ＯＮＵのＦＥＣステータス指示識別子を、前記ＦＥＣ指示フィールドの、当該ＯＮＵのＩＤと一致するシーケンス番号のビットに追加し、ブロードキャストしてもよい。
【００１１】
更に、前記ＯＮＵにより、前記ＯＬＴによって送信されたＦＥＣ指示の実行ステータスを、前記ＯＬＴに応答し、当該ステップは、
前記ＯＮＵにより、前記ＦＥＣ機能を有効又は無効にした後、最初に送信するアップリンクフレームにて、前記ＯＮＵの現在のＦＥＣステータス指示識別子を搬送する、又は
前記ＯＮＵにより、アップリンクフレームのフレームヘッダにＦＥＣステータス報告ビットを定義し、前記アップリンクフレームを送信する場合に、前記アップリンクフレームの前記ＦＥＣステータス報告ビットの値として、前記ＯＮＵの現在のＦＥＣステータス指示識別子を設定してもよい。
【００１２】
本発明によれば、ＦＥＣステータス指示識別子を設定し、ＯＮＵのＦＥＣステータス指示識別子と、前記ＯＮＵのＩＤとを対応づけて送信するＯＬＴと、
受信した自ＩＤに対応する指示識別子に応じて、当該ＯＮＵのＦＥＣ機能を有効又は無効にするＯＮＵと
を含む前方誤り訂正機能の有効／無効化指示システムが提供される。
【００１３】
更に、前記ＯＬＴは、
前記ＦＥＣステータス指示識別子を設定する識別子設定モジュールと、
前記ＯＮＵのＦＥＣステータスを決定するステータス決定モジュールと、
前記ＯＮＵの前記ＦＥＣステータス指示識別子と、前記ＯＮＵのＩＤとを対応づけて送信する送信モジュールとを含んでもよい。
【００１４】
更に、前記送信モジュールは、
ダウンリンクフレームの複数のアロケーション構造から、前記ＯＮＵのＩＤと一致するＩＤ（Ａｌｌｏｃ−ＩＤ）により識別されるアロケーション構造を検索する検索モジュールと、
前記検索されたアロケーション構造のフラグフィールドの９番目のビットの値として、当該アロケーション構造のＡｌｌｏｃ−ＩＤと一致するＩＤにより識別されるＯＮＵのＦＥＣステータス指示識別子を設定し、前記ダウンリンクフレームを送信する第１の設定モジュールとを含んでもよい。
【００１５】
更に、前記送信モジュールは、
ＦＥＣ指示メッセージとしてＰＬＯＡＭメッセージを設定し、前記ＦＥＣ指示メッセージにＦＥＣ指示メッセージ識別子を追加し、前記ＦＥＣ指示メッセージに、前記ＯＮＵのＦＥＣステータス指示識別子と、前記ＯＮＵのＩＤとを対応づけて追加し、当該ＦＥＣ指示メッセージを第１の送信モジュールに送信する第１の追加モジュールと、
第１の追加モジュールによって送信された前記ＦＥＣ指示メッセージを、ダウンリンクフレームのＰＬＯＡＭフィールドに追加し、前記ダウンリンクフレームを送信する第１の送信モジュールとを含んでもよい。
【００１６】
更に、前記送信モジュールは、
ＰＬＯＡＭメッセージのアイドルビットに、前記ＯＮＵの前記ＦＥＣステータス指示識別子と、前記ＯＮＵのＩＤとを対応づけて追加し、前記ＰＬＯＡＭメッセージを第２の送信モジュールに送信する第２の追加モジュールと、
前記第２の追加モジュールによって送信された前記ＰＬＯＡＭメッセージを、ダウンリンクフレームのＰＬＯＡＭフィールドに追加し、前記ダウンリンクフレームを送信する第２の送信モジュールとを含んでもよい。
【００１７】
更に、前記送信モジュールは、
ＯＭＣＩメッセージに、前記ＯＮＵのＦＥＣステータス属性を追加する属性設定モジュールと、
前記ＯＭＣＩメッセージに、前記ＯＮＵの前記ＦＥＣステータス属性の値として、前記ＯＮＵの前記ＦＥＣステータス指示識別子を設定し、前記ＯＭＣＩメッセージを、ダウンリンクフレームのＯＭＣＩフィールドに追加し、前記ダウンリンクフレームを送信する第２の設定モジュールとを含んでもよい。
【００１８】
更に、前記送信モジュールは、
ＰＣＢｄにＦＥＣ指示フィールドを追加し、前記ＯＮＵのＩＤを、前記ＦＥＣ指示フィールドのビットのシーケンス番号に対応させるフィールド設定モジュールと、
前記ＯＮＵのＦＥＣステータス指示識別子を、前記ＦＥＣ指示フィールドの当該ＯＮＵのＩＤと一致するシーケンス番号のビットに追加し、ブロードキャストする第３の追加モジュールとを含んでもよい。
【００１９】
更に、前記ＯＮＵは、
受信した、自ＯＮＵのＩＤに対応する指示識別子に応じて、当該ＯＮＵのＦＥＣ機能を有効又は無効にする有効／無効化モジュールと、
前記ＦＥＣ機能を有効又は無効にした後、最初に送信するアップリンクフレームにて、前記ＯＮＵの現在のＦＥＣステータス指示識別子を搬送し、又はアップリンクフレームのフレームヘッダにＦＥＣステータス報告ビットを定義し、前記アップリンクフレームを送信する場合に、前記アップリンクフレームの前記ＦＥＣステータス報告ビットの値として、前記ＯＮＵの現在のＦＥＣステータス指示識別子を設定する応答モジュールとを含んでもよい。
【００２０】
本発明に係る前方誤り訂正機能の有効／無効化指示方法及びシステムによれば、ＯＬＴにより、ＯＮＵのＦＥＣステータス指示識別子と、ＯＮＵのＩＤとを対応づけて送信する。これにより、ＯＮＵのＩＤに対応する１つの指示識別子を送信するだけで、ＯＮＵのＦＥＣステータスに関する指示を一度で完了することができる。これにより、ＯＮＵによって使用される複数のＴ−ＣＯＮＴのそれぞれに対して指示識別子を送信する場合に、各Ｔ−ＣＯＮＴに対する指示識別子が完全に一致しないことに起因して、ＯＬＴがアップリンク伝送において、ＯＮＵにＦＥＣ機能を有効にするよう指示したのか又は無効にするよう指示したのかを、ＯＮＵが判定することができない、という問題を回避することができる。
【図面の簡単な説明】
【００２１】
【図１】ＰＯＮのネットワークアーキテクチャである。
【図２】本発明の第１の実施形態における前方誤り訂正機能の有効／無効化指示方法のフローチャートである。
【図３】本発明の第１の実施形態においてＦＥＣ指示フィールドを追加した後のＰＣＢｄのアーキテクチャである。
【図４】本発明の第２の実施形態における前方誤り訂正機能の有効／無効化指示システムのアーキテクチャである。
【図５】本発明の第３の実施形態における前方誤り訂正機能の有効／無効化指示システムのアーキテクチャである。
【図６】本発明の第４の実施形態における前方誤り訂正機能の有効／無効化指示システムのアーキテクチャである。
【図７】本発明の第５の実施形態における前方誤り訂正機能の有効／無効化指示システムのアーキテクチャである。
【図８】本発明の第６の実施形態における前方誤り訂正機能の有効／無効化指示システムのアーキテクチャである。
【発明を実施するための形態】
【００２２】
図２に示すように、本発明の第１の実施形態に係る前方誤り訂正機能（ＦＥＣ）の有効／無効化指示方法のプロセスは、以下のステップ２０１〜２０３を含む。
【００２３】
ステップ２０１：ＦＥＣステータス指示識別子を予め設定する。
【００２４】
ここで、指示識別子は、１ビット又は複数ビットの値に設定され得る。例えば、ＦＥＣ機能を有効にする指示識別子が「１」に設定され、ＦＥＣ機能を無効にする指示識別子が「０」に設定される。あるいは、ＦＥＣ機能を有効にする指示識別子が「０１０１」に設定され、ＦＥＣ機能を無効にする指示識別子が「１０１０」に設定される。指示識別子が複数ビットの値に設定される場合、ＯＮＵは、受信した指示識別子と設定された指示識別子とをマッチングして得られたマッチング度に応じて、ＯＬＴの指示を判断する。その結果、受信した指示識別子の全部又は一部のビットの値がエラーコードである場合に、ＯＮＵがＯＬＴの実際の指示を判断できない、という問題が回避される。
【００２５】
ステップ２０２：ＯＬＴは、各ＯＮＵのＦＥＣステータス指示識別子と、ＯＮＵのＩＤとを送信する。ＯＮＵのＦＥＣステータスは、ＯＬＴにより決定されたものである。ＯＮＵのＦＥＣステータスと、ＯＮＵのＦＥＣステータス指示識別子とは、ＯＮＵのＩＤに対応づけられる。
【００２６】
ここで、各ＯＮＵのＦＥＣステータスは、ＯＬＴにより決定される。上記対応は、ＯＬＴにより決定されたＯＮＵのＦＥＣステータス指示識別子と、当該ＯＮＵのＩＤとの対応関係を意味する。ＯＬＴは当該対応関係を送信する。これにより、ＯＮＵは、自ＩＤに応じて、ＯＬＴから自ＯＮＵへ送信されたＦＥＣステータス指示識別子を検出することができる。即ち、ＯＮＵのＩＤは、ＯＮＵと、ＯＬＴにより決定された当該ＯＮＵのＦＥＣステータス指示識別子とを関連付けることに用いられる。ＯＮＵのＩＤは、ＯＮＵを一意に識別し得る他のパラメーターに置き換えられてもよい。
【００２７】
ここで、ＯＬＴは、以下のように、指示識別子及びＯＮＵのＩＤを送信してもよい。
【００２８】
ステップａ１：ダウンリンクフレームの全てのアロケーション構造から、ＯＮＵのＩＤと一致するＩＤ（Ａｌｌｏｃ−ＩＤ）により識別されるアロケーション構造を検索する。
【００２９】
ここで、各ＯＮＵは、自ＯＮＵに一意に属するＴ−ＣＯＮＴを有する。当該Ｔ−ＣＯＮＴに対応するアロケーション構造のＡｌｌｏｃ−ＩＤと、自ＯＮＵのＩＤとは一致する。ここで、ＯＮＵのＩＤと一致しないＡｌｌｏｃ−ＩＤにより識別されるアロケーション構造のフラグフィールドの９番目のビットの値は、ＦＥＣステータスの指示には用いられない。
【００３０】
ステップｂ１：検索された各アロケーション構造のフラグフィールドの９番目のビットの値として、当該アロケーション構造のＡｌｌｏｃ−ＩＤと一致するＩＤにより識別されるＯＮＵのＦＥＣステータス指示識別子を設定する。そして、当該ダウンリンクフレームを送信する。
【００３１】
ＯＬＴは、以下のように、指示識別子及びＯＮＵのＩＤを送信してもよい。
【００３２】
ステップａ２：ＯＬＴは、各ＯＮＵのＦＥＣステータスを決定した後、物理層オペレーション管理及び保守（ＰＬＯＡＭ：Ｐｈｙｓｉｃａｌ  Ｌａｙｅｒ  Ｏｐｅｒａｔｉｏｎｓ  ＡＮＤ  Ｍａｉｎｔｅｎａｎｃｅ）メッセージを設定する。このＰＬＯＡＭメッセージは、ＦＥＣ指示メッセージとして使用される。当該ＦＥＣ指示メッセージに、ＦＥＣ指示メッセージ識別子を追加する。そして、当該ＦＥＣ指示メッセージに、決定された各ＯＮＵのＦＥＣステータス指示識別子と、自ＯＮＵのＩＤとを対応づけて追加する。
【００３３】
ステップｂ２：ＯＬＴは、前記ＦＥＣ指示メッセージを、ダウンリンクフレームのＰＬＯＡＭフィールドに追加する。ＯＬＴは、当該ダウンリンクフレームを送信する。
【００３４】
ここで、ＯＮＵが当該ＦＥＣ指示メッセージを確実に取得することができるように、当該ＦＥＣ指示メッセージを複数回送信してもよい。
【００３５】
ＯＬＴは、以下のように、指示識別子及びＯＮＵのＩＤを送信してもよい。
【００３６】
ステップａ３：ＯＬＴは、各ＯＮＵのＦＥＣステータスを決定した後、ＰＬＯＡＭメッセージにおけるアイドルビットに、決定された各ＯＮＵのＦＥＣステータス指示識別子と、自ＯＮＵのＩＤとを対応づけて追加する。
【００３７】
ここで、前記ＰＬＯＡＭメッセージにおけるアイドルビットとは、既に定義されたＰＬＯＡＭ情報を送信するためのビット以外のビットをいう。
【００３８】
ステップｂ３：前記ＰＬＯＡＭメッセージを、ダウンリンクフレームのＰＬＯＡＭフィールドに追加する。当該ダウンリンクフレームを送信する。
【００３９】
ＯＬＴは、以下のように、指示識別子及びＯＮＵのＩＤを送信してもよい。
【００４０】
ステップａ４：ＯＮＴ管理及び制御インターフェース（ＯＭＣＩ：ＯＮＴ  Ｍａｎａｇｅｍｅｎｔ  ａｎｄ  Ｃｏｎｔｒｏｌ  Ｉｎｔｅｒｆａｃｅ）メッセージに、ＯＮＵのＦＥＣステータス属性を追加する。ここで、前記ＯＭＣＩメッセージとは、ＯＮＵを含む各管理エンティティの属性を搬送するための管理エンティティ属性（ＯＮＴ２−Ｇ  ＭＥ）メッセージをいう。
【００４１】
ステップｂ４：ＯＬＴは、各ＯＮＵのＦＥＣステータスを決定した後、ＯＭＣＩメッセージにおける各ＯＮＵのＦＥＣステータス属性値として、当該ＯＮＵのＦＥＣステータス指示識別子を設定する。そして、ＯＬＴは、当該ＯＭＣＩメッセージを、ダウンリンクフレームのＯＭＣＩフィールドに追加する。ＯＬＴは、当該ダウンリンクフレームを送信する。
【００４２】
ＯＬＴは、以下のように、指示識別子及びＯＮＵのＩＤを送信してもよい。
【００４３】
ステップａ５：図３に示すように、ダウンストリーム物理制御ブロック（ＰＣＢｄ：Ｐｈｙｓｉｃａｌ  Ｃｏｎｔｒｏｌ  Ｂｌｏｃｋ  ｄｏｗｎｓｔｒｅａｍ）に、ＦＥＣ指示フィールドを追加する。ＯＮＵのＩＤを、ＦＥＣ指示フィールドのビットのシーケンス番号に対応させる（マッピング）。ここで、ＦＥＣ指示フィールドに含まれるビット数は、６４、１２８、２５６又は５１２等である。このビット数は、具体的には、ＰＯＮによってサポートされる最大ＯＮＵ数に応じて決まる。前記シーケンス番号は、０〜６３、０〜１２７、０〜２５５又は０〜５１１等である。
【００４４】
ステップｂ５：ＯＬＴは、各ＯＮＵのＦＥＣステータス指示識別子を、ＦＥＣ指示フィールドにおいて当該ＯＮＵのＩＤと一致するシーケンス番号のビットに追加し、これをブロードキャストする。例えば、ＩＤ「２３」のＯＮＵのＦＥＣステータス指示識別子を、ＦＥＣ指示フィールドにおいてシーケンス番号「２３」のビットに追加する。
【００４５】
ステップ２０３：ＯＮＵは、受信した自ＩＤに対応する指示識別子をもとに、自ＯＮＵのＦＥＣ機能を有効又は無効にする。
【００４６】
ここで、具体的には、以下のように、受信した自ＩＤに対応する指示識別子をもとに、自ＯＮＵのＦＥＣ機能を有効又は無効にする。
【００４７】
ＯＮＵは、受信したダウンリンクフレームを解析する。ＯＮＵは、ダウンリンクフレームに含まれる、自ＩＤに対応する指示識別子を取得する。
【００４８】
取得した指示識別子に応じて、自ＯＮＵのＦＥＣ機能を有効又は無効にする。
【００４９】
本発明の第１の実施形態によれば、さらに、ステップ２０３の後、ＯＮＵは、ＯＬＴによって送信されたＦＥＣ指示の実行ステータスをＯＬＴに応答する。具体的には以下のとおりである。
【００５０】
ＯＮＵは、ＦＥＣ機能を有効又は無効にした後、最初に送信するアップリンクフレームにて、自ＯＮＵの現在のＦＥＣステータス指示識別子を送信する。
【００５１】
あるいは、ＯＮＵは、アップリンクフレームのフレームヘッダにＦＥＣステータス報告ビットを定義する。ＯＮＵは、アップリンクフレームを送信する場合に、アップリンクフレームのＦＥＣステータス報告ビットの値として、自ＯＮＵの現在のＦＥＣステータス指示識別子を設定する。
【００５２】
図４は、本発明の第２の実施形態における前方誤り訂正機能の有効／無効化指示システムを示す。本発明の第２の実施形態における前方誤り訂正機能の有効／無効化指示システムは、ＯＬＴ４１及びＯＮＵ４２を含む。
【００５３】
ＯＬＴ４１は、ＦＥＣステータス指示識別子を設定する。ＯＬＴ４１は、ＯＮＵ４２のＦＥＣステータス指示識別子と、ＯＮＵ４２のＩＤとを送信する。ここで、ＯＮＵ４２のＦＥＣステータス指示識別子と、ＯＮＵ４２のＩＤとは対応づけられる。
【００５４】
ＯＮＵ４２は、受信した自ＩＤに対応する指示識別子に応じて、自ＯＮＵ４２のＦＥＣ機能を有効又は無効にする。
【００５５】
ＯＬＴ４１は、識別子設定モジュール４１１、ステータス決定モジュール４１２及び送信モジュール４１３を含む。
【００５６】
識別子設定モジュール４１１は、ＦＥＣステータス指示識別子を設定する。
【００５７】
ステータス決定モジュール４１２は、ＯＮＵ４２のＦＥＣステータスを決定する。
【００５８】
送信モジュール４１３は、ＯＮＵ４２のＦＥＣステータス指示識別子と、ＯＮＵ４２のＩＤとを送信する。ここで、ＯＮＵ４２のＦＥＣステータス指示識別子と、ＯＮＵ４２のＩＤとは対応づけられる。ＯＮＵ４２のＦＥＣステータスは、ステータス決定モジュール４１２により決定されたものである。
【００５９】
更に、送信モジュール４１３は、検索モジュール４１３１及び第１の設定モジュール４１３２を含む。
【００６０】
検索モジュール４１３１は、ダウンリンクフレームの各アロケーション構造から、ＯＮＵ４２のＩＤと一致するＡｌｌｏｃ−ＩＤにより識別されるアロケーション構造を検索する。
【００６１】
第１の設定モジュール４１３２は、検索されたアロケーション構造のフラグフィールドの９番目のビットの値として、このアロケーション構造のＡｌｌｏｃ−ＩＤと一致するＩＤにより識別されるＯＮＵ４２のＦＥＣステータス指示識別子を設定する。そして、第１の設定モジュール４１３２は、当該ダウンリンクフレームを送信する。ＯＮＵ４２のＦＥＣステータスは、ステータス決定モジュール４１２により決定されたものである。
【００６２】
更に、ＯＮＵ４２は、有効／無効化モジュール４２１を含む。有効／無効化モジュール４２１は、受信した自ＯＮＵ４２のＩＤに対応する指示識別子に応じて、ＯＮＵ４２のＦＥＣ機能を有効又は無効にする。
【００６３】
ＯＮＵ４２は、応答モジュール４２２を更に含む。応答モジュール４２２は、ＦＥＣ機能を有効又は無効にした後、最初に送信するアップリンクフレームにて、ＯＮＵ４２の現在のＦＥＣステータス指示識別子を搬送する。あるいは、応答モジュール４２２は、アップリンクフレームのフレームヘッダにおいて、ＦＥＣステータス報告ビットを定義する。応答モジュール４２２は、アップリンクフレームを送信する場合、アップリンクフレームのＦＥＣステータス報告ビットの値として、ＯＮＵ４２の現在のＦＥＣステータス指示識別子を設定する。
【００６４】
図５は、本発明の第３の実施形態における前方誤り訂正機能の有効／無効化指示システムを示す。本発明の第３の実施形態における前方誤り訂正機能の有効／無効化指示システムは、ＯＬＴ５１及びＯＮＵ５２を含む。
【００６５】
ＯＬＴ５１は、ＦＥＣステータス指示識別子を設定する。ＯＬＴ５１は、ＯＮＵ５２のＦＥＣステータス指示識別子と、ＯＮＵ５２のＩＤとを送信する。ＯＮＵ５２のＦＥＣステータス指示識別子と、ＯＮＵ５２のＩＤとは対応づけられる。ＯＮＵ５２のＦＥＣステータスは、ＯＬＴ５１により決定されたものである。
【００６６】
ＯＮＵ５２は、受信した自ＩＤに対応する指示識別子に応じて、自ＯＮＵのＦＥＣ機能を有効又は無効にする。
【００６７】
ＯＬＴ５１は、識別子設定モジュール５１１、ステータス決定モジュール５１２及び送信モジュール５１３を含む。
【００６８】
識別子設定モジュール５１１は、ＦＥＣステータス指示識別子を設定する。
【００６９】
ステータス決定モジュール５１２は、ＯＮＵ５２のＦＥＣステータスを決定する。
【００７０】
送信モジュール５１３は、ＯＮＵ５２のＦＥＣステータス指示識別子と、ＯＮＵ５２のＩＤとを送信する。ＯＮＵ５２のＦＥＣステータス指示識別子と、ＯＮＵ５２のＩＤとは対応づけられる。ＯＮＵ５２のＦＥＣステータスは、ステータス決定モジュール５１２により決定されたものである。
【００７１】
更に、送信モジュール５１３は、第１の追加モジュール５１３１及び第１の送信モジュール５１３２を含む。
【００７２】
第１の追加モジュール５１３１は、ＰＬＯＡＭメッセージを設定する。ＰＬＯＡＭメッセージは、ＦＥＣ指示メッセージとして使用される。第１の追加モジュール５１３１は、このＦＥＣ指示メッセージに、ＦＥＣ指示メッセージ識別子を追加する。第１の追加モジュール５１３１は、ＯＮＵ５２のＦＥＣステータス指示識別子と、ＯＮＵ５２のＩＤとを対応づけて追加する。その後、第１の追加モジュール５１３１は、当該ＦＥＣ指示メッセージを、第１の送信モジュール５１３２に送信する。
【００７３】
第１の送信モジュール５１３２は、第１の追加モジュール５１３１によって送信されたＦＥＣ指示メッセージを、ダウンリンクフレームのＰＬＯＡＭフィールドに追加する。第１の送信モジュール５１３２は、当該ダウンリンクフレームを送信する。
【００７４】
更に、ＯＮＵ５２は、有効／無効化モジュール５２１を含む。有効／無効化モジュール５２１は、受信した自ＯＮＵ５２のＩＤに対応する指示識別子に応じて、ＯＮＵ５２のＦＥＣ機能を有効又は無効にする。
【００７５】
ＯＮＵ５２は、応答モジュール５２２を更に含む。応答モジュール５２２は、ＦＥＣ機能を有効又は無効にした後、最初に送信するアップリンクフレームにて、ＯＮＵ５２の現在のＦＥＣステータス指示識別子を搬送する。あるいは、ＯＮＵ５２は、アップリンクフレームのフレームヘッダにおいてＦＥＣステータス報告ビットを定義する。ＯＮＵ５２は、アップリンクフレームを送信する場合に、アップリンクフレームのＦＥＣステータス報告ビットの値として、ＯＮＵ５２の現在のＦＥＣステータス指示識別子を設定する。
【００７６】
図６は、本発明の第４の実施形態における前方誤り訂正機能の有効／無効化指示システムを示す。本発明の第４の実施形態における前方誤り訂正機能の有効／無効化指示システムは、ＯＬＴ６１及びＯＮＵ６２を含む。
【００７７】
ＯＬＴ６１は、ＦＥＣステータス指示識別子を設定する。ＯＬＴ６１は、ＯＮＵ６２のＦＥＣステータス指示識別子と、ＯＮＵ６２のＩＤとを送信する。ＯＮＵ６２のＦＥＣステータス指示識別子と、ＯＮＵ６２のＩＤとは対応づけられる。ＯＮＵ６２のＦＥＣステータスは、ＯＬＴ６１により決定されたものである。
【００７８】
ＯＮＵ６２は、受信した自ＩＤに対応する指示識別子に応じて、自ＯＮＵ６２のＦＥＣ機能を有効又は無効にする。
【００７９】
ここで、ＯＬＴ６１は、識別子設定モジュール６１１、ステータス決定モジュール６１２及び送信モジュール６１３を含む。
【００８０】
識別子設定モジュール６１１は、ＦＥＣステータス指示識別子を設定する。
【００８１】
ステータス決定モジュール６１２は、ＯＮＵ６２のＦＥＣステータスを決定する。
【００８２】
送信モジュール６１３は、ＯＮＵ６２のＦＥＣステータス指示識別子と、ＯＮＵ６２のＩＤとを送信する。ＯＮＵ６２のＦＥＣステータス指示識別子と、ＯＮＵ６２のＩＤとは対応づけられる。ＯＮＵ６２のＦＥＣステータスは、ステータス決定モジュール６１２により決定されたものである。
【００８３】
更に、送信モジュール６１３は、第２の追加モジュール６１３１及び第２の送信モジュール６１３２を含む。
【００８４】
第２の追加モジュール６１３１は、ＰＬＯＡＭメッセージにおけるアイドルビットに、ＯＮＵ６２のＦＥＣステータス指示識別子と、ＯＮＵ６２のＩＤとを対応づけて追加する。そして、第２の追加モジュール６１３１は、ＰＬＯＡＭメッセージを第２の送信モジュール６１３２に送信する。
【００８５】
第２の送信モジュール６１３２は、第２の追加モジュール６１３１によって送信されたＰＬＯＡＭメッセージを、ダウンリンクフレームのＰＬＯＡＭフィールドに追加する。第２の送信モジュール６１３２は、当該ダウンリンクフレームを送信する。
【００８６】
更に、ＯＮＵ６２は、有効／無効化モジュール６２１を含む。有効／無効化モジュール６２１は、受信した自ＯＮＵ６２のＩＤに対応する指示識別子に応じて、ＯＮＵ６２のＦＥＣ機能を有効又は無効にする。
【００８７】
ＯＮＵ６２は、応答モジュール６２２を更に含む。応答モジュール６２２は、ＦＥＣ機能を有効又は無効にした後、最初に送信するアップリンクフレームにて、ＯＮＵ６２の現在のＦＥＣステータス指示識別子を搬送する。あるいは、ＯＮＵ６２は、アップリンクフレームのフレームヘッダにおいてＦＥＣステータス報告ビットを定義する。ＯＮＵ６２は、アップリンクフレームを送信する場合に、アップリンクフレームのＦＥＣステータス報告ビットの値として、ＯＮＵ６２の現在のＦＥＣステータス指示識別子を設定する。
【００８８】
図７は、本発明の第５の実施形態における前方誤り訂正機能の有効／無効化指示システムを示す。本発明の第５の実施形態における前方誤り訂正機能の有効／無効化指示システムは、ＯＬＴ７１及びＯＮＵ７２を含む。
【００８９】
ＯＬＴ７１は、ＦＥＣステータス指示識別子を設定する。ＯＬＴ７１は、ＯＮＵ７２のＦＥＣステータス指示識別子と、ＯＮＵ７２のＩＤとを送信する。ＯＮＵ７２のＦＥＣステータス指示識別子と、ＯＮＵ７２のＩＤとは対応づけられる。ＯＮＵ７２のＦＥＣステータスは、ＯＬＴ７１により決定されたものである。
【００９０】
ＯＮＵ７２は、受信した自ＩＤに対応する指示識別子に応じて、自ＯＮＵ７２のＦＥＣ機能を有効又は無効にする。
【００９１】
ＯＬＴ７１は、識別子設定モジュール７１１、ステータス決定モジュール７１２及び送信モジュール７１３を含む。
【００９２】
識別子設定モジュール７１１は、ＦＥＣステータス指示識別子を設定する。
【００９３】
ステータス決定モジュール７１２は、ＯＮＵ７２のＦＥＣステータスを決定する。
【００９４】
送信モジュール７１３は、ＯＮＵ７２のＦＥＣステータス指示識別子と、各ＯＮＵ７２のＩＤとを送信する。ＯＮＵ７２のＦＥＣステータス指示識別子と、各ＯＮＵ７２のＩＤとは対応づけられる。ＯＮＵ７２のＦＥＣステータスは、ステータス決定モジュール７１２により決定されたものである。
【００９５】
更に、送信モジュール７１３は、属性設定モジュール７１３１及び第２の設定モジュール７１３２を含む。
【００９６】
属性設定モジュール７１３１は、ＯＭＣＩメッセージに、ＯＮＵ７２のＦＥＣステータス属性を追加する。
【００９７】
第２の設定モジュール７１３２は、ＯＭＣＩメッセージにおける各ＯＮＵ７２のＦＥＣステータス属性値として、ＯＮＵ７２のＦＥＣステータス指示識別子を設定する。第２の設定モジュール７１３２は、当該ＯＭＣＩメッセージを、ダウンリンクフレームのＯＭＣＩフィールドに追加する。第２の設定モジュール７１３２は、当該ダウンリンクフレームを送信する。
【００９８】
更に、ＯＮＵ７２は、有効／無効化モジュール７２１を含む。有効／無効化モジュール７２１は、受信した自ＯＮＵ７２のＩＤに対応する指示識別子に応じて、自ＯＮＵ７２のＦＥＣ機能を有効又は無効にする。
【００９９】
ＯＮＵ７２は、応答モジュール７２２を更に含む。応答モジュール７２２は、ＦＥＣ機能を有効又は無効にした後、最初に送信するアップリンクフレームにて、ＯＮＵ７２の現在のＦＥＣステータス指示識別子を搬送する。あるいは、ＯＮＵ７２は、アップリンクフレームのフレームヘッダにおいてＦＥＣステータス報告ビットを定義する。ＯＮＵ７２は、アップリンクフレームを送信する場合に、アップリンクフレームのＦＥＣステータス報告ビットの値として、ＯＮＵ７２の現在のＦＥＣステータス指示識別子を設定する。
【０１００】
図８は、本発明の第６の実施形態における前方誤り訂正機能の有効／無効化指示システムを示す。本発明の第６の実施形態における前方誤り訂正機能の有効／無効化指示システムは、ＯＬＴ８１及びＯＮＵ８２を含む。
【０１０１】
ＯＬＴ８１は、ＦＥＣステータス指示識別子を設定する。ＯＬＴ８１は、ＯＮＵ８２のＦＥＣステータス指示識別子と、各ＯＮＵ８２のＩＤとを送信する。ＯＮＵ８２のＦＥＣステータス指示識別子と、各ＯＮＵ８２のＩＤとは対応づけられる。ＯＮＵ８２のＦＥＣステータスは、ＯＬＴ８１により決定されたものである。
【０１０２】
ＯＮＵ８２は、受信した自ＩＤに対応する指示識別子に応じて、自ＯＮＵ８２のＦＥＣ機能を有効又は無効にする。
【０１０３】
ＯＬＴ８１は、識別子設定モジュール８１１、ステータス決定モジュール８１２及び送信モジュール８１３を含む。
【０１０４】
識別子設定モジュール８１１は、ＦＥＣステータス指示識別子を設定する。
【０１０５】
ステータス決定モジュール８１２は、ＯＮＵ８２のＦＥＣステータスを決定する。
【０１０６】
送信モジュール８１３は、ＯＮＵ８２のＦＥＣステータス指示識別子と、ＯＮＵ８２のＩＤとを送信する。ＯＮＵ８２のＦＥＣステータス指示識別子と、ＯＮＵ８２のＩＤとは対応づけられる。ＯＮＵ８２のＦＥＣステータスは、ステータス決定モジュール８１２により決定されたものである。
【０１０７】
更に、送信モジュール８１３は、フィールド設定モジュール８１３１及び第３の追加モジュール８１３２を含む。
【０１０８】
フィールド設定モジュール８１３１は、ＰＣＢｄに、ＦＥＣ指示フィールドを追加する。フィールド設定モジュール８１３１は、ＯＮＵ８２のＩＤを、ＦＥＣ指示フィールドのビットのシーケンス番号に対応させる（マッピング）。
【０１０９】
第３の追加モジュール８１３２は、ＯＮＵ８２のＦＥＣステータス指示識別子を、ＦＥＣ指示フィールドにおいて当該ＯＮＵ８２のＩＤと一致するシーケンス番号のビットに追加し、これをブロードキャストする。
【０１１０】
更に、ＯＮＵ８２は、有効／無効化モジュール８２１を含む。有効／無効化モジュール８２１は、受信した自ＯＮＵ８２のＩＤに対応する指示識別子に応じて、自ＯＮＵ８２のＦＥＣ機能を有効又は無効にする。
【０１１１】
ＯＮＵ８２は、応答モジュール８２２を更に含む。応答モジュール８２２は、ＦＥＣ機能を有効又は無効にした後、最初に送信するアップリンクフレームにて、自ＯＮＵ８２の現在のＦＥＣステータス指示識別子を搬送する。あるいは、ＯＮＵ８２は、アップリンクフレームのフレームヘッダにおいてＦＥＣステータス報告ビットを定義する。ＯＮＵ８２は、アップリンクフレームを送信する場合に、アップリンクフレームのＦＥＣステータス報告ビットの値として、自ＯＮＵ８２の現在のＦＥＣステータス指示識別子を設定する。
【０１１２】
本発明に係る方法及びシステムは、１つのＯＬＴが１つのＯＮＴに自ＯＮＴのＦＥＣ機能を有効又は無効にすることを指示することにも適用可能である。
【０１１３】
以上、本発明の好適な実施形態について説明したにすぎず、本発明の範囲を限定するものではなない。
【図１】
2013501435.tif 000003
【図２】
2013501435.tif 000004
【図３】
2013501435.tif 000005
【図４】
2013501435.tif 000006
【図５】
2013501435.tif 000007
【図６】
2013501435.tif 000008
【図７】
2013501435.tif 000009
【図８】
2013501435.tif 000010
【国際調査報告】
2013501435.tif 000011
2013501435.tif 000012
2013501435.tif 000013
2013501435.tif 000014